(57)【特許請求の範囲】
【請求項１】
導電性の芯線と前記芯線を取り巻く絶縁内被と前記絶縁内被を取り巻く導電性のシールド線と前記シールド線を取り巻く絶縁体とを有するシールドケーブルに接続されるシールドケーブル用コネクタにおいて、相手側コネクタと接続する接触部と前記芯線に接続するケーブル接続部とを有するコンタクト、前記コンタクトを保持するインシュレータ、及び前記シールドケーブルの側面に対向する金属プレートを含み、前記金属プレートは、プレート本体と第１の保持部と位置決め部と接地パッドと第２の保持部とを有し、前記第１の保持部はバネ性を有し前記プレート本体との間に前記絶縁体を挟持するものであり、前記位置決め部はバネ性を有し前記プレート本体との間に前記芯線を前記絶縁内被の外側から挟み付け保持するものであり、前記接地パッドは前記シールド線若しくは前記芯線のうちの一本に接続されるものであり、前記第２の保持部は複数本の前記シールドケーブルを纏めて絶縁外皮で覆った複合電気ケーブルを前記金属プレートに固定するものであることを特徴とするシールドケーブル用コネクタ。
【請求項２】
前記金属プレートは、アース接続用の端子部を有する請求項１に記載のシールドケーブル用コネクタ。
【請求項３】
前記金属プレートを複数有し、前記金属プレートを所定間隔で保持するロケータハウジングをさらに含む請求項１又は２に記載のシールドケーブル用コネクタ。
【請求項４】
前記インシュレータと前記金属プレートとを覆うフードをさらに含む請求項１−３のいずれかに記載のシールドケーブル用コネクタ。
【請求項５】
前記フードは、前記シールド線に接続されかつ前記ケーブルを保持するケーブル保持部を有する請求項４に記載のシールドケーブル用コネクタ。
【発明の詳細な説明】
【０００１】
【発明の属する技術分野】
本発明は、シールドケーブルに接続されるシールドケーブル用コネクタに関する。
【０００２】
【従来の技術】
一般のシールドケーブルは、導電性の中心導体即ち芯線と、この芯線を取り巻く管状の絶縁内被と、この絶縁内被を取り巻く導電性のシールド線と、このシールド線を取り巻く絶縁体とを有している。このシールドケーブルの接続にはシールドケーブル用コネクタが使用される。
【０００３】
例えば特開平１０−３２０５１号公報には、シールドケーブル用コネクタの一例が開示されている。そのシールドケーブル用コネクタは、ケーブルのシールド線を保持した接地プレートと、ケーブルの芯線に接続されるコンタクトと、接地プレート及びコンタクトを保持する絶縁ハウジングとを有している。
【０００４】
【発明が解決しようとする課題】
上述したシールドケーブル用コネクタにおいては、接地プレートがケーブルのシールド線を保持してはいるが、ケーブルの芯線と接地プレートとの位置関係が定まらないため、コネクタ内で伝送特性が劣化する虞がある。
【０００５】
それ故に本発明の課題は、伝送特性の劣化を防止したシールドケーブル用コネクタを提供することにある。
【０００６】
【課題を解決するための手段】
本発明によれば、導電性の芯線と前記芯線を取り巻く絶縁内被と前記絶縁内被を取り巻く導電性のシールド線と前記シールド線を取り巻く絶縁体とを有するシールドケーブルに接続されるシールドケーブル用コネクタにおいて、相手側コネクタと接続する接触部と前記芯線に接続するケーブル接続部とを有するコンタクト、前記コンタクトを保持するインシュレータ、及び前記シールドケーブルの側面に対向する金属プレートを含み、前記金属プレートは、プレート本体と第１の保持部と位置決め部と接地パッドと第２の保持部とを有し、前記第１の保持部はバネ性を有し前記プレート本体との間に前記絶縁体を挟持するものであり、前記位置決め部はバネ性を有し前記プレート本体との間に前記芯線を前記絶縁内被の外側から挟み付け保持するものであり、前記接地パッドは前記シールド線若しくは前記芯線のうちの一本に接続されるものであり、前記第２の保持部は複数本の前記シールドケーブルを纏めて絶縁外皮で覆った複合電気ケーブルを前記金属プレートに固定するものであることを特徴とするシールドケーブル用コネクタが得られる。
【０００８】
前記金属プレートは、アース接続用の端子部を有してもよい。
【０００９】
前記金属プレートを複数有し、前記金属プレートを所定間隔で保持するロケータハウジングをさらに含んでもよい。
【００１０】
前記インシュレータと前記金属プレートとを覆うフードをさらに含んでもよい。
【００１１】
前記フードは、前記シールド線に接続されかつ前記ケーブルを保持するケーブル保持部を有してもよい。
【００１２】
【発明の実施の形態】
図１〜図４を参照して、本発明に実施の形態に係るシールドケーブル用コネクタについて説明する。
【００１３】
このシールドケーブル用コネクタは参照符号１０で表わされ、上下に複数列例えば３列に分けて配列された多数の導電性のコンタクト１１を相手側コネクタ（図示せず）に対向する前側に備えている。コネクタ１０の後側には複合電気ケーブル１２が引き出されている。複合電気ケーブル１２は複数本のシールドケーブル１３を纏めて絶縁外皮で覆ったものである。各シールドケーブル１３は、複数の導電性の芯線１４と、これらの芯線１４の各々を取り巻く絶縁内被１５と、絶縁内被１５を取り巻く導電性のシールド線１６と、シールド線１６を取り巻く絶縁体１７とを有している。なお、コンタクト１１は、相手側コネクタと接続するための一端側の接触部１８と芯線１３にはんだ付けなどで接続するための他端側のケーブル接続部１９とを有したものである。
【００１４】
コネクタ１０は、さらに、コンタクト１１を固定保持したインシュレータ２１と、複合電気ケーブル１２に接続され、インシュレータ２１の後方に配置される複数枚例えば３枚の金属プレート２２と、インシュレータ２１の後面に対向し、金属プレート２２を位置決めする絶縁性のロケータハウジング２３とを含んでいる。コンタクト１１のケーブル接続部１９は、コンタクト１１の列間でインシュレータからの距離が異なっている。即ち、最上列のコンタクト１１のケーブル接続部１９はインシュレータ２１に最も近く、最下列のコンタクト１１のケーブル接続部１９はインシュレータ２１から最も遠くにある。
【００１５】
金属プレート２２はある程度のばね性を有するものであり、ロケータハウジング２３の位置決め溝２４に互いに所定間隔をもって案内挿入される。これらの金属プレート２２の挿入方向での寸法を互いに異ならせ、これによりコンタクト１１のケーブル接続部１９と芯線１４とのはんだ付け部分に上下の列間で位置ずれを与えている。これは、はんだ付けの作業性からみて好ましい。なお、金属プレート２２にはめっきを施すことが好ましい。
【００１６】
次に、金属プレート２２と複合電気ケーブル１２との関係について説明する。各金属プレート２２は、プレート本体２５と、このプレート本体２５に結合されている第１の保持部２６、位置決め部２７、接地パッド２８、端子部２９、及び第２の保持部３１とを有している。第１の保持部２６は金属プレート２２の一部を切り起こし且つ成形して作られたものであり、ばね性を有し、プレート本体２５との間にシールドケーブル１３を絶縁体１７の外側から挟み付け保持する。位置決め部２７は金属プレート２２の一部を切り起こし且つ成形して作られたものであり、ばね性を有し、プレート本体２５との間に芯線１４を絶縁内被１５の外側から挟み付け保持する。接地パッド２８は金属プレート２２に切れ目を入れて作られたものであり、シールドケーブル１２のシールド線１６若しくは芯線１３のうちの一本をプレート本体２５と協働して挟持する。端子部２９はアース端子として利用される。第２の保持部３１は複合電気ケーブル１２を絶縁外皮の外側から金属プレート２２にしっかりと固定保持する。第１の保持部２６及び第２の保持部３１は合せて、複合電気ケーブル１２を金属プレート２２に固定する固定部を構成する。
【００１７】
位置決め部２７とプレート本体２５は、芯線１４を絶縁内被１５の外側から挟み付け保持している。この結果、芯線１４はプレート本体２５から絶縁内被１５の厚み寸法分だけ離れた位置に固定される。このように、金属プレート２２のプレート本体２５がシールドケーブル１２の側面に芯線１４と所定の位置関係をもって対向するので、コネクタ１０の内部においても伝送特性の劣化を防止できる。なお、位置決め部２７によりシールドケーブル１３の絶縁内被１５をプレート本体２５から離した状態で保持することにより、プレート本体２５と芯線１４とに所定の位置関係をもたせてもよい。
【００１８】
実際のシールドケーブル用コネクタの組み立てにおいては、複合電気ケーブル１２に金属プレート２２を接続した後、その金属プレート２２をロケータハウジング２３の位置決め溝２４に挿入する。この状態で、コンタクト１１のケーブル接続部１９に芯線１４をはんだ付け接続する。その後、図１のようにＥＭＩシールド用の金属製のフード３２をロケータハウジング２３及びインシュレータ２１に外側から被せ、プラグ３３のシェル３５に密着させて全周にわたりはんだ付けで封止するとよい。
【００１９】
また、図４に示すようにフード３２に金属製のかしめ部３４を設け、シールドケーブル１３のシールド線１６をかしめ部３４でかしめて電気的な接続を得る態様で実施することもできる。勿論、はんだ付けでフード３２にシールド線１６を接続してもよいし、他の接続用部品を使用しての接続も可能である。
【００２０】
なお、シールドケーブル１３や芯線１４の数は任意に変更可能である。また金属プレート２２は１枚又は２枚であってもよいし、また４枚以上が使用されてもよい。
【００２１】
【発明の効果】
以上説明したように、本発明のシールドケーブル用コネクタによれば、シールドケーブルの側面に対向した金属プレートとそのシールドケーブルの芯線とが所定の位置関係を保つので、コネクタ内での伝送特性の劣化が防止される。
【図面の簡単な説明】
【図１】本発明に実施の形態に係るシールドケーブル用コネクタの外観斜視図。
【図２】図１のシールドケーブル用コネクタの内部構造を示す分解斜視図。
【図３】図１のシールドケーブル用コネクタに使用された金属プレートの要部の拡大斜視図。
【図４】図１のシールドケーブル用コネクタの変形例を説明するためのフードとシールドケーブルの斜視図。
【符号の説明】
１０  シールドケーブル用コネクタ
１１  コンタクト
１２  複合電気ケーブル
１３  シールドケーブル
１４  芯線
１５  絶縁内被
１６  シールド線
１７  絶縁体
１８  接触部
１９  ケーブル接続部
２１  インシュレータ
２２  金属プレート
２３  ロケータハウジング
２４  位置決め溝
２５  プレート本体
２６  第１の保持部
２７  位置決め部
２８  接地パッド
２９  端子部
３１  第２の保持部
３２  フード
３３  プラグ
３４  かしめ部
【図１】
0003656187.tif 000002
【図２】
0003656187.tif 000003
【図３】
0003656187.tif 000004
【図４】
0003656187.tif 000005